(57)【特許請求の範囲】
【請求項１】
餌バケツ内に縦方向に挿入設置されるコマセ切りのための硬質ボードと、該硬質ボードを挿入設置状態において餌バケツ内に脱着可能に取り付け固定するための手段とを備えていることを特徴とするコマセ切りボード。
【請求項２】
餌バケツの一側壁の内面に沿って挿入設置される硬質ボードを具備し、該硬質ボードの上端部には、上記一側壁の上端部に掛け止めするためのフック部が備えられていることを特徴とする請求項１記載のコマセ切りボード。
【請求項３】
フック部は縦長であり、一側壁の上端部に対する掛け止め深さを調整することにより、餌バケツの寸法差による一側壁の高さに対処できる構成になっていることを特徴とする請求項２記載のコマセ切りボード。
【請求項４】
硬質ボードが上記一側壁とほぼ同形同大であり、上端部のフック部は縦長で一側壁の上端部に対し浅い掛け止め位置と深い掛け止め位置とを選択でき、浅い掛け止め位置の時は硬質ボードを一側壁に対し垂直設置がまた深い掛け止め位置の時は傾斜設置が可能な構成になっていることを特徴とする請求項２記載のコマセ切りボード。
【請求項５】
フック部が逆Ｕ字状であり、一側壁への掛け止め状態において、該一側壁を保有バネの働きで挟持できる構成になっていることを特徴とする請求項２乃至４のいずれかに記載のコマセ切りボード。
【請求項６】
請求項１乃至５のいずれかに記載のコマセ切りボードを備えた餌バケツ。
【請求項７】
側壁部が柔軟シートから構成されたバケツ本体を備えた餌バケツにおいて、硬質ボードが装着固定された柔軟シートによって側壁部の一部領域が構成されることにより該側壁部の一部領域にコマセ切りのための硬質ボード部が一体に備えられていることを特徴とする餌バケツ。
【請求項８】
側壁部が柔軟シートから構成されたバケツ本体を備えた餌バケツにおいて、バケツ本体の側壁部の一部領域が硬質ボードから構成されることにより該側壁部の一部領域にコマセ切りのための硬質ボード部が一体に備えられていることを特徴とする餌バケツ。
【請求項９】
バケツ本体は短辺側の側壁部と長辺側の側壁部とを有する平面視矩形状であり、前記硬質ボード部は短辺側の側壁部の両方あるいは長辺側の側壁部の両方に備えられている請求項７又は８記載の餌バケツ。
【発明の詳細な説明】
【０００１】
【発明の属する技術分野】
本発明はコマセ切りボード、詳しくは餌バケツ内、例えばその一側壁の内側に装着して使用するコマセ切りボード及び餌バケツに関する。
【０００２】
【従来の技術】
コマセ（撒き餌ともいう）は、通常、餌バケツ内に入れられており、釣り人は撒き餌棒の先端の杓部でコマセをすくい、餌バケツの側壁を利用してコマセ切りを行い、コマセの分量や充填密度等を調整した後、海面に投入している。
【０００３】
【発明が解決しようとする課題】
通常、餌バケツは携帯に便利なように側壁の部分を適宜折り畳みできる構成になっており、側壁の部分には、一般に布地や補強繊維入りの軟質プラスチックシート等のような比較的軟い素材が使用されている。
【０００４】
このような軟質の側壁では、コマセ切りを行うために杓部を押しつけたときに、該側壁が押し付け圧を逃がす方向に変形してしまい、コマセ切りを行い難いという問題点があった。
【０００５】
また餌バケツの側壁には、折り畳み癖が永久ひずみとして僅かながら残っており、コマセの残量が少なくなるにつれて側壁に折り畳み傾向が現れ、図１１に示すように、自然に側壁がＶ字状に内方へ突出し、内方突出部ｆの下方にコマセｅの一部が隠れてしまう。この隠れたコマセｅは側壁を伸長させることにより、杓部ですくい取ることが可能になるが、狭い磯場では釣り竿を持った状態のままで側壁伸張と杓部でのすくい取りを行わなければならず、大変面倒であり、時には無理な姿勢が強いられるために、体のバランスを崩すことがあり、危険でもあった。
【０００６】
本発明は、コマセ切りに便利であって、しかも餌バケツの側壁の自然折り畳傾向に起因する内方突出部の発生をなくし得るコマセ切りボード及び餌バケツを提供することを目的としてなされたものである。
【０００７】
【課題を解決するための手段】
本発明は、餌バケツ内に縦方向に挿入設置されるコマセ切りのための硬質ボードと、該硬質ボードを挿入設置状態において餌バケツ内に脱着可能に取り付け固定するための手段とを備えていることを特徴とするコマセ切りボードに係る。
【０００８】
本発明に好ましい一実施形態によれば、コマセ切りボードは、餌バケツの一側壁の内面に沿って挿入設置される硬質ボードを具備し、該硬質ボードの上端部には、上記一側壁の上端部に掛け止めするためのフック部が備えられている。
【０００９】
本発明において、上記フック部を縦長となし、餌バケツの一側壁の上端部に対する掛け止め深さを適宜調整可能な構成にすることにより、餌バケツの寸法差による一側壁の高さに対処でき、便利である。
【００１０】
また硬質ボードの形状を上記一側壁とほぼ同形同大となすと共に上端部のフック部を縦長となし、餌バケツの一側壁の上端部に対し浅い掛け止め位置と深い掛け止め位置とを選択できる構成となすときは、浅い掛け止め位置の時は硬質ボードを一側壁に対し垂直に設置でき、また深い掛け止め位置の時は傾斜設置が可能となり、狭い磯場での立ち位置によって、垂直設置又は傾斜設置の内のいずれかを選択でき、便利である。
【００１１】
餌バケツの上端部に対する掛け止め状態を安定確実に保持するために、フック部を逆Ｕ字状となし、バネが働いた状態で、一側壁に掛け止めできる構成にすることが好ましい。
【００１２】
本発明においては、コマセ切りを行うための硬質ボード部を、柔軟シートから構成された餌バケツの側壁部の一部に一体に備えるようにしてもよい。
【００１３】
【発明の実施の形態】
以下に本発明の一実施形態を添付図面に基づき説明する。本発明コマセ切りボードは、図１に示すように、硬質ボード１を具備し、該ボード１の上端部には、少なくとも一カ所、例えばその両側部寄りの２カ所にフック部２,２が備えられている。
【００１４】
硬質ボード１として、図１には、餌バケツａ（図２参照）が平面視において矩形状の場合に、その短辺側の一側壁ｂに適用するタイプのものが示され、該硬質ボード１は上記一側壁ｂの起立状態を基準に、該一側壁ｂにほぼ対応する上下高さと左右幅を有するように剛性材料、例えば硬質プラスチックから成形されている。その他、アルミニウム板,ステンレススチール板,木質板等を使用できる。
【００１５】
フック部２は上記硬質ボード１を餌バケツａ内への挿入設置状態において、該餌バケツａ内に脱着自在に取り付け固定するためのものであり、例えば逆Ｕ字状を呈するようにバネ弾性を有するプラスチック又は金属から比較的縦長に構成され、下端開口３を通じ、餌バケツａの一側壁ｂの上端部に下方に向けて差し込むことにより、該一側壁ｂに対しバネが働いた状態で掛け止めできる構成になっている。
【００１６】
図２は、本発明コマセ切りボードを餌バケツａの一側壁ｂの内側に装着した時の状況を示している。この装着状態においては、硬質ボード１は上記一側壁ｂの内面に沿ってほぼ垂直に起立し、下端は餌バケツａの底面にほぼ接している。一方フック部２,２は上記一側壁ｂの上端部に係止し、上記硬質ボード１を垂直起立状態に保持している。フック部２,２の一側壁ｂ上端部への係止位置は、浅い係止位置と、深い係止位置とを選択的にとることができ、図２では浅い係止位置をとっている。
【００１７】
図２に示す装着状態においては、硬質ボード１が一側壁ｂの内側において硬質側壁を構成し、釣り人は撒き餌棒ｃの杓部ｄで餌バケツａ内のコマセｅをすくい取りながら、該硬質ボード１を利用してコマセ切りを行うことができる。特にコマセを遠くに撒く場合には、杓部ｄにコマセを圧密充填し塊の状態で投入することが必要になるが、杓部ｄを硬質ボード１に対し強く押し付けることにより、このような圧密充填を手返しよく容易に確実に行うことが可能になり、撒き餌の手返しアップの効果が得られる。このような手返しアップの効果は、コマセの練り具合、例えば、硬め、柔か目、粘り気の大小等にかかわらず、期待することができる。
【００１８】
また硬質ボード１は一側壁ｂの内側で硬質壁を形成するので、該一側壁ｂの自然折り畳み傾向による内方突出部の発生が実質的になくなり、コマセの残量が少なくなった場合であっても、杓部ｄによるコマセｅのすくい取りを簡単容易に行うことができ、便利である。
【００１９】
図３は、硬質ボード１を餌バケツａ内に傾斜設置した時の状況を示している。この傾斜設置状態は、フック部２,２を深い係止位置まで押し込むことにより得られる。この傾斜設置状態においては、硬質ボード１の両端部は餌バケツａの長辺側の側壁ｂ１にほぼ接しシールを構成しているので、コマセｅが硬質ボード１の裏側に回り込むことはなく、傾斜設置状態での使用を支障なく行うことができる。
【００２０】
狭い磯場では、餌バケツａの位置を基準に、釣り人の立ち位置が餌バケツの横側又は後ろ側のいずれかに制限されることがあり、このような立ち位置によって、図２に示す垂直設置と、図３に示す傾斜設置のいずれかを選択すればよい。
【００２１】
フック部２,２の基端部乃至硬質ボード１の上端部にヒンジ部４を設けておけば、傾斜設置に便利である。
【００２２】
傾斜設置時の安定性を考慮し、図５に示すように、硬質ボード１の下端に、ヒンジ部５を介し硬質の補助ボード６を連設することができる。補助ボード６は垂直設置時には、図４に示すように、硬質ボード１に折り重ねられ、二つ折り状態になる。
【００２３】
図２に示す状態においては、フック部２を一側壁ｂに対しさらに深く押し下げる余裕があるので、この押し下げが可能な範囲において、異種寸法の側壁ひいては餌バケツに対し適用が可能になる。図６は異種寸法の餌バケツへの適用状況を示している。
【００２４】
釣りを終えた後は、硬質ボード１をフック部２の部分で餌バケツａから取り外すことにより、それぞれを個別に洗浄でき、次の釣行に備えることができる。
【００２５】
本発明に於いては、硬質ボード１の餌バケツａ内への収まり状態の安定化を図るために、図７に示すように、硬質ボード１の両側部に、餌バケツａのコーナ部ａ１に沿う形状の張り出し部１ａ,１ａを形成することができ、両張り出し部１ａ,１ａの下端側は図示のように底部１ｂで閉じておいても、或いは底なしのまま開放しておいてもよい。
【００２６】
また硬質ボード１に対するフック部２の取り付け位置を上下方向に調整自在となすために、図８に示すように、フック部２に備えた止め金具９を硬質ボード１に設けた縦長穴１０内で上下方向に移動可能となし、止め金具９に螺装した蝶ナット等の締め付け部材１１の締め付けにより、フック部２を任意の調整位置で固定できる構成とすることができる。
【００２７】
本発明において、脱着自在な取り付け固定手段としては、図示の実施形態のようなフック形式が餌バケツ側になにも備える必要がないので最も便利であるが、フック形式に替え、例えば面ファスナー,ボタン,ホック,スナップその他適宜の取り付け固定手段を常法に従い適用できる。
【００２８】
本発明においては、コマセ切りを行うための硬質ボード部を、柔軟シートから構成された餌バケツの側壁部の一部に一体に備えるようにしてもよい。図９はその一実施形態を示し、餌バケツ本体７は例えば平面視において矩形状であって、側壁部は柔軟シートから構成され、短辺側の側壁部７ａ,７ａの内面側、例えばその幅方向の中央領域にコマセ切りを行うための硬質ボード部８が側壁全高に亘って一体に装着固定されている。
【００２９】
図１０は図９に示す餌バケツの折り畳み状況を概略的に示し、長辺側の側壁部７ｂ,７ｂを折り畳みラインＬに従い左右２箇所の位置で三角状に２つ折りすると、この折り畳みに従い短辺側の側壁部７ａ,７ａが起立状態から次第に伏倒して行き、扁平嵩小の状態に折り畳みできる。
【００３０】
図９に示す本発明餌バケツにおいては、硬質ボード部８を利用してコマセ切りを容易に確実に行うことができると共に、硬質ボード部８が側壁部７ａ,７ａを補強し、自然折り畳み傾向を抑止する働きをし、使用の間、側壁部をほぼ起立状態に保持できる。
【００３１】
硬質ボード部８は、剛性例えば硬質プラスチック、木質等の各種材質の硬質ボードを接着剤,縫製,止め金具等の固定手段を適用してバケツ本体７の側壁部７ａ,７ａの内面の一部領域又は全領域に好ましくは側壁全高に亘って装着固定することにより、形成することができる。また側壁部７ａ,７ａの一部又は全部を柔軟シートに変え硬質ボードから構成することによって硬質ボード部８を形成するようにしてもよい。
【００３２】
硬質ボード部８は短辺側の側壁部７ａ,７ａの少なくとも一方側、或いは長辺側の側壁部７ｂ,７ｂの少なくとも一方側等、側壁部の一部に備えられていればよい。
【００３３】
【発明の効果】
本発明によれば、上記構成により、コマセ切りに便利であって、しかも餌バケツの側壁の自然折り畳傾向にまつわる内方突出部の発生を防止できるコマセ切りボードを提供するができる。
【００３４】
さらに本発明は、コマセ切りに便利であって、側壁部の自然折り畳む傾向を抑止できる形状保持性のよい餌バケツを提供できる。
【図面の簡単な説明】
【図１】本発明の一実施形態を示す斜視図である。
【図２】図１に示す本発明コマセ切りボードの一使用状況を示す垂直設置状態における縦断面図である。
【図３】同、傾斜設置状態における縦断面図である。
【図４】本発明の他の実施形態における垂直設置状態の縦断面図である。
【図５】同、傾斜設置時の縦断面図である。
【図６】図２に示す本発明コマセ切りボードを異種寸法の餌バケツに適用した状況を示す縦断面図である。
【図７】硬質ボードの形状変形例を示す斜視図である。
【図８】フック部の変形例を示す縦断面図である。
【図９】本発明餌バケツの一実施形態を提げ手を省略して示す斜視図である。
【図１０】図７の折り畳み途中の状況を概略的に示す平面図である。
【図１１】従来の餌バケツの説明図である。
【符号の説明】
１        硬質ボード
２        フック部
３        下端開口
４        ヒンジ部
５        ヒンジ部
６        補助ボード
７        バケツ本体
８        硬質ボード部
９        止め金具
１０      縦長穴
１１      締め付け部材
【図１】
0003742739.tif 000002
【図２】
0003742739.tif 000003
【図３】
0003742739.tif 000004
【図４】
0003742739.tif 000005
【図５】
0003742739.tif 000006
【図６】
0003742739.tif 000007
【図７】
0003742739.tif 000008
【図８】
0003742739.tif 000009
【図９】
0003742739.tif 000010
【図１０】
0003742739.tif 000011
【図１１】
0003742739.tif 000012